(57)【要約】      （修正有）【課題】シェード部に設けられた模様板を光源が発する熱から保護し、インテリア性の高い照明器具を提供する。【解決手段】光源２と、この光源を覆い、切頂四面体構造を有するシェード部３とを有する照明器具は、シェード部の切頂四面体の少なくとも一つの六角面には、光源の光を透過し模様が付いた模様板１３が設けられ、シェード部の模様板の内側には、当該模様板の全面を覆い、光源の光を透過しつつ拡散する拡散部材１６が設けられている。【選択図】図８
0003170441.tif 000002
【実用新案登録請求の範囲】
【請求項１】
照明器具であって、
光源と、
前記光源を覆い、切頂四面体構造を有するシェード部と、を有し、
前記シェード部の切頂四面体の少なくとも一つの六角面には、光源の光を透過し模様が付いた模様板が設けられ、
前記シェード部の前記模様板の内側には、当該模様板の全面を覆い、前記光源の光を透過しつつ拡散する拡散部材が設けられている、照明器具。
【請求項２】
前記シェード部の内側空間は、前記模様板側と前記光源側が前記拡散部材によって遮断されている、請求項１に記載の照明器具。
【請求項３】
前記模様板と前記拡散部材との隙間が１〜５ｍｍに設定されている、請求項１又は２に記載の照明器具。
【請求項４】
他の照明器具を重ねるための、互いに対向する平行面を有する、請求項１〜３のいずれかに記載の照明器具。
【請求項５】
前記切頂四面体の六角面と三角面とにより前記平行面が構成され、当該三角面には、他の照明器具と嵌合する嵌合部が設けられている、請求項４に記載の照明器具。
【請求項６】
前記切頂四面体の六角面と三角面とにより４つの平行面が構成され、
一の平行面の六角面には、前記光源が取り付けられ、
前記一の平行面の三角面の嵌合部と、残りの他の平行面の三角面の嵌合部とが互いに嵌合可能な形状に形成されている、請求項５に記載の照明器具。
【請求項７】
前記シェード部の切頂四面体の三角面には、模様板が設けられる、請求項１〜６のいずれかに記載の照明器具。
【請求項８】
前記模様板は、六角形状のべっ甲板である、請求項１〜７のいずれかに記載の照明器具。
【考案の詳細な説明】
【技術分野】
【０００１】
本考案は、照明器具に関する。
【背景技術】
【０００２】
光源の周囲にシェード部が設けられた照明器具が知られている。
【考案の概要】
【考案が解決しようとする課題】
【０００３】
照明器具は、照明としての機能を重視するだけでなくインテリア性も重視する必要がある。このため、既述のシェード部に、例えば、光源の光を透過する性質を有すると共に模様が付いた模様板を用いることにより、照明器具としての機能を喪失せずにインテリア性を向上させることができる。
【０００４】
しかしながら、照明器具を長時間点けておく場合、光源から生じる熱がシェード部に継続的に伝わる。このため、例えば熱による模様板の変形等を考慮してシェード部の設計を行う必要があり、模様板の材質や形状等を自由に選択できず、インテリア性の高い照明器具を実現する障害になっていた。
【０００５】
本考案は、上記事情に鑑みてなされたものであり、その目的は、シェード部に設けられる模様板の材質等を自由に選択できるようにし、インテリア性の高い照明器具を実現することにある。
【課題を解決するための手段】
【０００６】
本考案は、照明器具であって、光源と、この光源を覆い、切頂四面体構造を有するシェード部と、を有し、シェード部の切頂四面体の少なくとも一つの六角面には、光源の光を透過し模様が付いた模様板が設けられ、シェード部の模様板の内側には、当該模様板の全面を覆い、光源の光を透過しつつ拡散する拡散部材が設けられている。
【０００７】
本考案によれば、シェード部の模様板の内側に模様板の全面を覆う拡散部材を設けることにより、模様板を光源から生じる熱から保護することができ、模様板の材質や形状の選択の自由度を上げることができる。また、シェード部を切頂四面体構造とし、その六角面に模様板を設けることにより、内部の光源により六角面で模様板の模様を映し出すことができる。この際、拡散部材により光が拡散されるので、外部から光源の形が見えづらくなり、模様をより美しく映し出すことができる。よって、インテリア性の高い照明器具を実現できる。
【０００８】
上記シェード部の内側空間は、模様板側と光源側とが拡散部材によって遮断されていることが望ましい。
【０００９】
この構成によると、光源側の空間から模様板側の空間に空気が流れないため、空間の流れによって模様板に熱が伝わることを確実に防止できる。
【００１０】
更に、模様板と拡散部材との隙間が１〜５ｍｍに設定されていることが望ましい。
【００１１】
この構成によると、模様板の模様の影が拡散部材に映し出されるため、模様の立体感をユーザに感じさせることができる。
【００１２】
上記照明器具は、他の照明器具を重ねるための、互いに対向する平行面を有している。
【００１３】
この構成によると、平行面に他の照明器具を重ねることができ、ユーザの好みに合わせて照明器具のインテリア性を高めることができる。
【００１４】
更に、切頂四面体の六角面と三角面とにより平行面が構成され、当該三角面には、他の照明器具と嵌合する嵌合部が設けられていてもよい。また、切頂四面体の六角面と三角面とにより４つの平行面が構成され、その一の平行面の六角面には、光源が取り付けられ、当該一の平行面の三角面の嵌合部と、残りの他の平行面の三角面の嵌合部とが互いに嵌合可能な形状に形成されるようにしてもよい。
【００１５】
この構成によると、照明器具に他の照明器具を重ねて使用する際に、照明器具の嵌合部と他の照明器具の嵌合部が嵌合するため、照明器具と他の照明器具とが位置決めされ、振動等により落下することを防止できる。
【００１６】
また、上記シェード部の切頂四面体の三角面には、模様板が設けられるようにしても良い。
【００１７】
この構成によると、照明器具としてのインテリア性を向上させる際に、シェード部の設計に更なる工夫を施すことが可能になる。
【００１８】
上記模様板は、六角形状のべっ甲板であることが望ましい。
【００１９】
この構成によると、六角形状及びべっ甲特有の模様によってユーザに模様板の素材がべっ甲であることを強くイメージさせることができる。これにより、べっ甲の有する付加価値により照明器具のインテリア性を高めることができる。
【考案の効果】
【００２０】
本考案によれば、模様板の材質や形状の選択の自由度を上げることができるので、照明器具のインテリア性をさらに向上できる。
【図面の簡単な説明】
【００２１】
【図１】本考案の実施の形態に係る照明器具の外観を示す斜視図である。
【図２】載置向き変えた場合の図１の照明器具の外観を示す斜視図である。
【図３】図１の照明器具の正面図である。
【図４】図１の照明器具の背面図である。
【図５】図１の照明器具の右側面図である。
【図６】図１の照明器具の平面図である。
【図７】図１の照明器具の底面図である。
【図８】図１の照明器具の内部構造を説明するための図である。
【図９】図１の照明器具を２つ重ねた状態を示す図である。
【図１０】他の照明器具との嵌合部を示す図である。
【図１１】嵌合部を設けた照明器具の平面図である。
【図１２】切頂四面体の三角面に模様板を有する照明器具の一例を示す図である。
【考案を実施するための形態】
【００２２】
以下、本考案の実施の形態について図面を参照しながら説明する。
【００２３】
図１及び図２は、照明器具１の外観を示す図である。また、図３〜図８は、それぞれ照明器具１の正面図、背面図、右側面図、平面図及、底面図及び内部構造を説明するための図である。
【００２４】
図１及び図２に示すように、照明器具１は、内部に光源２を有すると共に光源２を覆う切頂四面体構造を有するシェード部３を有している。
【００２５】
光源２は、例えば、低発熱のＬＥＤ（Light Emitting Diode）、又は有機ＥＬ（Organic Electro Luminescence）が用いられる。
【００２６】
シェード部３は、切頂四面体構造の４つの三角面に配置された三角形の三角部材１１と、各辺を構成する辺部材１２と、切頂四面体構造の３つの六角面に配置された六角形の模様板１３と、１つの六角面に配置された六角形の底面部１４と、を有している。
【００２７】
対向する三角部材１１と、模様板１３及び底面部１４は、平行になっている。つまり、シェード部３には、３組の三角部材１１と模様板１３と、１組の三角部材１１と底面部１４との４組の平行面が形成されている。
【００２８】
辺部材１２は、互いに連結、離脱可能であり、例えばシェード部３の組み立て時には、三角部材１１の各頂点に辺部材１２を連結し、六角面の枠を形成し、その辺部材１２の溝部１１ｂ、１２ｂ（図８参照）に模様板１３を嵌め込み、それに残りの三角部材１１と辺部材１２を取り付け、最後に底面部１４が取り付けられる。
【００２９】
底面部１４には、取り外し可能な底板１５が取り付けられている（図７，図８参照）。この底板１５には、支持部４を介して光源２が配置される（図８参照）。したがって、ユーザは、照明器具１の底板１５を取り外すことにより、簡単に光源２を交換できるようになっている。なお、光源２は図示しない電源コードにより外部から電源が供給される構成でも良いし、内部に設けられる電池によって電源が供給される構成でも良い。
【００３０】
模様板１３は、例えば、べっ甲、ガラス、又は樹脂等の光を透過する素材を用い、かつ、模様を有して構成されている。本実施の形態では、模様板１３として六角形状のべっ甲を用いる場合で説明するが、模様板１３の形状は他の多角形でも良いし、円形でも良い。なお、図１〜図１２においては、模様板１３の有する模様を便宜上省略している。
【００３１】
なお、模様板１３を構成するべっ甲は、南方の海に生息するタイマイ（ウミガメの一種）の背と腹の甲を構成する最外層の角質からなる鱗板を剥がして得られるものであり、色は半透明で、赤みを帯びた黄色に濃褐色の斑点がある。このべっ甲は希少価値があり、照明器具１のインテリアとしての価値を向上させる素材としては付加価値が大きい。しかしながら、べっ甲は熱に弱い性質も有している。
【００３２】
次に、照明器具１の内部構造について図８を参照して説明する。
【００３３】
三角部材１１の端部１１ａ及び辺部材１２の端部１２ａには、模様板１３を嵌め込む溝部１１ｂ，１２ｂがそれぞれ設けられている。また、模様板１３の内側には、当該模様板１３の全面を覆い、かつ、光源２の光を透過しつつ拡散する六角形状の乳白色のシート（拡散部材）１６が、端部１１ａ及び端部１２ａに内側から貼り付けられている。このシート１６と模様板１３との隙間は、１ｍｍ〜５ｍｍ程度、好ましくは約２ｍｍに設定されている。シェード部３内の内部空間は、シート１６によって模様板１３側と光源２側とが遮断されている。言い換えれば、模様板１３側の空間Ｓ１と光源２側の空間Ｓ２とが別空間になっている。
【００３４】
本実施の形態における照明器具１によれば、模様板１３の内側にシート１６が配置され、模様板１３の全面を覆っているため、光源２から生じる熱が模様板１３に伝わるのを抑制することができ、模様板１３を熱から保護することができる。このため、例えば模様板１３に熱に弱い素材を用いることも可能になり、模様板１３の材質の選択肢を広げ、シェード部の設計の自由度を向上させることができる。例えば、本実施の形態のように、インテリア性の高いべっ甲をシェード部３の模様板１３として用いることが可能になる。よって、インテリア性の高い照明装置１を実現できる。
【００３５】
また、シェード部３を切頂四面体構造とし、その六角面に模様板１３を設けることにより、内部の光源２により六角面で模様板１３の模様を映し出すことができる。この際、シート１６により光が拡散されるので、外部から光源２の形やその他の内部構造が見え難くなり、模様をより美しく映し出すことができる。よって、この点からもインテリア性の高い照明器具１を実現できる。
【００３６】
また、上記照明器具１においては、光源２の光がシート１６及び模様板１３を介して外部を照らすようになっており、その際、３つの模様板１３がそれぞれ６０度の角度で斜め上方向に向いているため、照明器具１の周囲の例えば室内全体を照らすことができる。
【００３７】
更に、模様板１３の模様の影が乳白色のシート１６に映し出されるため、模様の立体感をユーザに感じさせることができる。
【００３８】
上記照明器具１では、シェード部３の内側空間は、模様板１３側の空間Ｓ１と光源２側の空間Ｓ２がシート１６によって遮断されているので、空間Ｓ２から空間Ｓ１へ空気が流れて模様板１３に光源２の熱が伝わることを防止できる。
【００３９】
また、シェード部３の３つの六角面に、模様板１３として六角形状のべっ甲板を嵌め込んでいるため、照明器具１をいずれの方向から見てもべっ甲の模様と共に六角形状をユーザに視認させることができる。したがって、当該模様と六角形状により照明器具１にべっ甲を使用していることをユーザに強くイメージさせることができ、照明器具１の高級感及びインテリア性を高めることができる。
【００４０】
更に、照明器具１は、同様な構成をした他の照明器具２０を重ねるための、互いに対向する平行面を有している。上述のようにシェード部３は、三角部材１１と模様板１３、及び三角部材１１と底面部１４の４組の平行面を有している。これにより、複数の照明器具を用意し、例えば図９に示すように一の照明器具１の三角面と他の照明器具２０の三角面が対向するように照明器具を重ねることができる。かかる場合、複数の照明器具をユーザの好みに合わせて自由に重ね合わることができ、照明器具としてのインテリア性を更に向上させることができる。
【００４１】
また、平行面を構成する４つの三角部材１１には、他の照明器具と嵌合する嵌合部が設けられていてもよい。またこの場合に、光源２のある底面部１４に対向する三角部材１１の嵌合部と、残りの３つの三角部材１１の嵌合部とが互いに嵌合可能な形状に形成されていてもよい。
【００４２】
この場合、例えば図１０及び図１１に示すように底面部１４に対向する上面の三角部材１１の嵌合部として凹部（例えば、半球形状）３０を設け、上面に位置しない残りの３つの三角部材１１の嵌合部として凸部（例えば、半球形状）３１を設ける。こうすることにより、照明器具１と、同じ構成の他の照明器具２０とを重ねる際に、照明器具１の上面の凹部３０と、他の照明器具２０の凸部３１とを嵌合させ固定することができるので、照明器具１と他の照明器具２０とが位置ずれし振動で落下することを防止できる。また、３つの三角部材１１に凸部３１が形成されているので、凹部３０のある三角部材１１を上にした状態で一の照明器具を下に置き、その上に他の照明器具を置く場合に、３つの三角部材１１に凸部３１があるので、他の照明器具の置き方を３通り選ぶことができる。よって、複数の照明器具を重ねる時のインテリア性をさらに向上できる。
【００４３】
また、凸部３１を、三角形の頂点付近の位置に設けるように構成すれば、当該凸部３１を設けた三角面が底面になるように照明器具１を配置した場合に、当該凸部３１を足として利用することも可能になる。
【００４４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４５】
例えば上記実施の形態では、シェード部３の六角面のみに模様板１３を嵌め込む構成について説明したが、これに限られず、図１２に示すように三角面にも模様板１８を設けるように構成しても良い。なお、図１２において、模様板４０の有する模様は説明の便宜上省略している。また、三角面に設ける模様板４０は六角面に嵌め込む模様板１３と同様な素材及び模様にしても良いし、異なる素材及び模様にしても良い。また、三角面には模様板でなく、所定形状の貫通孔を設けるようにしても良い。
【００４６】
なお、シェード部３の三角面に模様板４０を設ける場合には、模様板４０の内側に、当該模様板４０の全面を覆い、かつ、光源２の光を透過しつつ拡散するシート（拡散部材）を、模様板１３の場合と同様に設けてもよい。
【００４７】
また、上記実施の形態では、切頂四面体構造の３つの六角面に模様板１３を有する場合で説明したが、照明器具は、切頂四面体構造のシェード部３の少なくとも１つの六角面に模様板１３を有するように構成すれば良い。また、シェード部３の三角面に模様板４０（又はスリット）を設ける場合においても、少なくとも１つの三角面に模様板（又はスリット）を有するようにしても良い。
【産業上の利用可能性】
【００４８】
本考案は、シェード部に設けられる模様板の材質等を自由に選択できるようにし、インテリア性の高い照明器具を実現する際に有用である。
【符号の説明】
【００４９】
１・・・照明器具，２・・・光源，３・・・シェード部，１１・・・三角部材，１１ａ・・・端部，１１ｂ・・・溝部，１２・・・辺部材，１２ａ・・・端部，１２ｂ・・・溝部，１３・・・模様板，１４・・・底面部，１５・・・底板，１６・・・シート（拡散部材），３０・・・凹部，３１・・・凸部，４０・・・模様板，Ｓ１・・・模様板側の空間，Ｓ２・・・光源側の空間
【図３】
0003170441.tif 000003
【図４】
0003170441.tif 000004
【図５】
0003170441.tif 000005
【図６】
0003170441.tif 000006
【図７】
0003170441.tif 000007
【図８】
0003170441.tif 000008
【図９】
0003170441.tif 000009
【図１０】
0003170441.tif 000010
【図１１】
0003170441.tif 000011
【図１２】
0003170441.tif 000012
【図１】
0003170441.tif 000013
【図２】
0003170441.tif 000014